(57)【要約】【課題】  データ信号を再生する際のノイズを抑えることができる磁気テープドライブの磁気ヘッドを提供する。【解決手段】  磁気テープＭＴを図中右方向に走行させてデータ信号を記録する際は、ヘッド素子群Ｈａ１，Ｈａ３，・・・のそれぞれの交流消去素子Ｅによって、対応するデータトラックＤＴを交流消去した後で、同じヘッド素子群Ｈａ１，Ｈａ３，・・・のそれぞれの記録素子Ｗにより、データトラックＤＴにデータ信号を記録する。また、磁気テープＭＴを図中左方向に走行させてデータ信号を記録する際は、ヘッド素子群Ｈａ２，Ｈａ４，・・・を用いて、同様にデータ信号を記録する。これにより、データ信号を再生する際のノイズを抑えることができる。【選択図】      図２
2005078724.tif 000002
【特許請求の範囲】
【請求項１】
磁気テープにデータ信号を記録する少なくとも１つの記録素子と、磁気テープに記録されたデータ信号を再生する少なくとも１つの再生素子とが、磁気テープの走行方向に並んで形成されたヘッド素子群を、磁気テープの幅方向に複数備えた磁気テープドライブの磁気ヘッドであって、
磁気テープの走行方向に対し、それぞれの前記記録素子の上流側に、磁気テープのデータトラックを交流消去する交流消去素子を設けたことを特徴とする磁気ヘッド。
【請求項２】
磁気テープの走行方向に対し、それぞれの前記記録素子の下流側に、前記再生素子を設けたことを特徴とする請求項１に記載の磁気ヘッド。
【発明の詳細な説明】
【技術分野】
【０００１】
本発明は、磁気テープドライブの磁気ヘッドに関する。
【背景技術】
【０００２】
近年、磁気記録媒体は、高密度記録化が進んでおり、コンピュータのバックアップ用では１００ギガバイト程度の記憶容量を有するものがある。例えば、磁気テープの場合は、幅方向に数百本のデータトラックを形成し、高密度記録化を可能としている。それに伴い、データトラックの幅は非常に狭くなっており、隣接するデータトラック間も非常に狭くなっている。そのため、予め磁気テープにサーボ信号を書き込んでおき、磁気ヘッドでこのサーボ信号を読み取りつつ、磁気ヘッドの位置（磁気テープの幅方向の位置）をサーボ制御することによって、磁気ヘッドの記録・再生素子をデータトラックにトレースさせている（特許文献１参照）。
【０００３】
そして、前記したサーボ信号は、磁化されていない磁気テープ上のサーボバンドに、一方向に磁化するように記録電流を付与することで記録されていた。
つまり、図６（ｂ）に示すように、従来のサーボ信号ＳＳ１では、サーボ信号読取素子（図示せず）の飽和現象を回避するために、磁化されていないサーボバンドＳＢ１上に、図６（ａ）に示すようなゼロ電流とプラスパルス電流とからなる記録パルス電流ＰＣ１を流して形成していた。このような記録パルス電流ＰＣ１を用いると、磁気テープＭＴ１は、記録パルス電流ＰＣ１のゼロ電流のときにはサーボパターンＳＰ１以外の領域が磁化されず、記録パルス電流ＰＣ１のプラスパルス電流が流れたときにはサーボパターンＳＰ１が一方向に磁化され、結果としてサーボ信号ＳＳ１が書き込まれる。なお、サーボ信号ＳＳ１を書き込むための磁気ヘッド（図示せず）のヘッドギャップが、磁気テープＭＴ１の走行方向に対して所定の角度を有する非平行なハ字形状を有しているため、図６（ａ）に示すプラスパルス電流ＰＰａに対し、図６（ｂ）に示すサーボパターンＳＰ１ａが磁化され、更に、プラスパルス電流ＰＰｂに対し、サーボパターンＳＰ１ｂが磁化される。
【０００４】
一方、磁気テープドライブでは、サーボ信号読取素子によってサーボ信号ＳＳ１の磁界の変化を電気抵抗の変化で検出し、読取信号として微分波形（電圧値）で出力している。そのため、サーボ信号読取素子の電気抵抗の変化が大きくなるほど、サーボ信号ＳＳ１の読取信号のピーク電圧値が大きくなり、読取信号のＳＮ比が向上する。したがって、サーボ信号ＳＳ１自体の磁界の変化が大きい場合やサーボ信号読取素子の幅が広いために読み取る領域が大きい場合、図６（ｃ）に示すように、サーボ信号ＳＳ１の読取信号ＲＳＬのピーク電圧値は大きくなる。
【０００５】
ところが、今後、磁気テープは、カートリッジ１巻当りの記録容量が数十テラバイト程度まで高密度記録化が進むことが予測される。それに伴い、データトラック数が増え、データトラックの幅および隣接するデータトラック間は一層狭くなるとともに、磁気テープ自体も薄層化する。これにより、サーボ信号ＳＳ１を読み取るときに検出できる磁気の量は減少し、サーボ信号読取素子で検出できるサーボ信号ＳＳ１の磁化量の変化も小さくなる。したがって、図６（ｄ）に示すように、サーボ信号ＳＳ１の読取信号ＲＳＳのピーク電圧値は小さくなり、読取信号ＲＳＳのＳＮ比が劣化する。その結果、磁気テープドライブにおいて、サーボ信号ＳＳ１を正確に読み取ることができなくなり、高精度な磁気ヘッドの位置制御を行えなくなる。
【０００６】
そこで、本願出願人が先に出願（特願２００３−１１０３９６）した発明のように、サーボライタの磁気ヘッドに設けられた直流消去素子（図示せず）により、図７（ａ）に示すサーボバンドＳＢ２を磁気テープＭＴ２の長手方向の一方向（例えば、図７（ａ）の場合では右方向）に磁化した後、サーボパターンＳＰ２の領域を逆方向（例えば、図７（ａ）の場合では左方向）に磁化して、サーボ信号ＳＳ２を記録することが考えられる。なお、図７（ａ）においては、磁化されている方向を小さい矢印により示している。このサーボ信号ＳＳ２は、図７（ａ）の右方向に磁化されたサーボバンドＳＢ２の地の部分から左方向に磁化されたサーボパターンＳＰ２の切り替わりの部分で大きく磁気の向きが変わる。また、左方向に磁化されたサーボパターンＳＰ２の部分から右方向に磁化されたサーボバンドＳＢ２の地の部分に切り替わるところでも大きく磁気の向きが変わる。そのため、磁気テープドライブの磁気ヘッドＨ２に設けられたサーボ信号読取素子Ｓ２によって、サーボ信号ＳＳ２を読み取った信号（図７（ｂ））の出力変動は大きくなる。これにより、サーボ信号ＳＳ２の読取信号のＳＮ比を向上させることができる。
【０００７】
しかし、サーボバンドＳＢ２を、直流消去素子により、磁気テープの長手方向の一方向に磁化（以下、「直流消去」という）する際は、サーボライタの磁気ヘッドをサーボ制御することができない。そのため、サーボバンドＳＢ２のみを直流消去することが困難であるため、データ信号が記録されるデータバンドＤＢ２も、同様に直流消去されてしまう。この状態で、磁気テープドライブの磁気ヘッドＨ２に設けられた記録素子Ｗ２により、データ信号を記録すると、磁気ヘッドＨ２に設けられた再生素子Ｒ２で再生する際にノイズが発生するおそれがある。
【０００８】
ノイズが発生する原因の１つに、磁気テープＭＴ２の磁性層の塗布むらが挙げられる。図８は磁気テープＭＴ２の断面図であり、ベース２０の表面に磁性層２１が塗布されている。図８に示すように、磁性層２１に塗布むらがあると、直流消去後にデータ信号を記録する際、データ信号は磁性層２１の表層部２１ａにのみ、一定厚さで記録され、その深層部２１ｂには直流消去による一方向の磁化が残っている。表層部２１ａと深層部２１ｂとの界面は塗布むらによりうねっているので、深層部２１ｂの磁化が漏れ磁束として表層部２１ａに影響し、データ信号の再生時にノイズとなる。特に、高密度記録化に伴い磁性層が薄膜化すると、塗布むらがより生じ易くなるため、ノイズが増大するおそれがある。
【０００９】
このノイズの発生を抑える手段として、例えば、特許文献２に、磁気テープの走行方向に対し、データ信号の記録・再生用磁気ヘッドの上流側において、交流消去ヘッドを設けた磁気テープドライブについての発明が開示されている。この磁気テープドライブによれば、データバンドＤＢ２が直流消去されていても、データ信号を記録する前に、前記交流消去ヘッドにて、データバンドＤＢ２の磁性層の磁性体をランダム配向（以下、「交流消去」という）させることができる。交流消去後のデータバンドＤＢ２の磁性層は、磁化されていないため、この状態でデータ信号を記録すると、データ信号が記録される表層部のみ磁化される。これにより、再生時においては、記録したデータ信号のみ再生するため、磁性層２１に塗布むらがあってもノイズを抑えることができる。
【特許文献１】特開平８−３０９４２号公報（段落０００４）
【特許文献２】特開平７−１８２６０２号公報（段落００２２〜００２３、図１）
【発明の開示】
【発明が解決しようとする課題】
【００１０】
しかし、前記した磁気テープドライブでは、データバンドＤＢ２の全てのデータトラックを交流消去するため、必要なデータ信号が記録されたデータトラックも交流消去される。更に、サーボバンドＳＢ２に書き込まれたサーボ信号ＳＳ２も交流消去されるため、磁気ヘッドＨ２をサーボ制御することができなくなる。
【００１１】
そこで、本発明では、データバンドのうち、データ信号の記録を行うデータトラックのみを交流消去した後で、データ信号を記録することにより、再生する際のノイズを抑えることができる磁気テープドライブの磁気ヘッドを提供することを課題とする。
【課題を解決するための手段】
【００１２】
前記課題を解決した本発明のうちの請求項１に記載された発明は、磁気テープにデータ信号を記録する少なくとも１つの記録素子と、磁気テープに記録されたデータ信号を再生する少なくとも１つの再生素子とが、磁気テープの走行方向に並んで形成されたヘッド素子群を、磁気テープの幅方向に複数備えた磁気テープドライブの磁気ヘッドであって、磁気テープの走行方向に対し、それぞれの前記記録素子の上流側に、磁気テープのデータトラックを交流消去する交流消去素子を設けたことを特徴とする。
【００１３】
請求項１に記載の磁気ヘッドでは、磁気テープの走行方向に対し、記録素子の上流側に、データトラックを交流消去する交流消去素子を設けているため、データ信号が記録されるデータトラックのみを交流消去した後で、データ信号を記録することができる。
【００１４】
また、請求項２に記載された発明は、請求項１に記載の磁気ヘッドにおいて、磁気テープの走行方向に対し、それぞれの前記記録素子の下流側に、前記再生素子を設けたことを特徴とする。
【００１５】
請求項２に記載の磁気ヘッドでは、磁気テープの走行方向に対し、記録素子の下流側に、再生素子を設けたことにより、この再生素子を用いて、記録素子により記録されたデータ信号が正常に記録されているか否かの確認を行うことができる。
【発明の効果】
【００１６】
このような磁気ヘッドによれば、データトラックを交流消去した後で、データ信号を記録することにより、再生する際のノイズを抑えることができる。これにより、前記したように、サーボ信号の読取信号のＳＮ比を向上させるために、磁気テープ全体を直流消去した際に、データバンドが直流消去されても、データ信号の記録特性が劣化することはない。よって、サーボ信号の読取信号のＳＮ比を向上させた上で、データ信号の記録特性に優れた磁気テープシステムを確立することができる。
また、データ信号の記録を行うデータトラックのみを交流消去できるので、必要なデータ信号が交流消去されるおそれはない。
【発明を実施するための最良の形態】
【００１７】
次に、本発明の実施形態について、適宜図面を参照しながら説明する。まず、本発明の第１の実施形態である磁気ヘッドが適用された磁気テープドライブについて説明する。
【００１８】
（第１の実施形態）
図１に示すように、磁気テープドライブ１は、装置リール２、磁気ヘッドＨａ、ガイド３ａ，３ｂ、テープリール駆動装置４、装置リール駆動装置５、制御装置６、交流消去電流発生回路７、記録電流発生回路８、再生信号処理回路９、サーボ信号処理回路１０、磁気ヘッド駆動装置１１を備えている。
【００１９】
また、図示していないが、この磁気テープドライブ１は、磁気テープカートリッジ１２を出し入れさせるための挿脱装置や、磁気テープカートリッジ１２から磁気テープＭＴを引き出すための引出装置等を備えており、磁気テープカートリッジ１２が磁気テープドライブ１内に挿入されると、前記引出装置で磁気テープＭＴの先端部を引き出して、その先端部を装置リール２のハブに取り付けるように構成されている。
【００２０】
磁気テープＭＴは、前記したような方法によりデータバンドが直流消去されたものや、データバンドの長手方向に初期磁化を有するものを用いると、本発明の効果が特に発揮される。
【００２１】
テープリール駆動装置４は、磁気テープカートリッジ１２のテープリール１３を回転駆動させる装置である。また、装置リール駆動装置５は、装置リール２を回転駆動させる装置である。そして、磁気テープＭＴにデータ信号を記録する際（以下、「記録時」という）、または、磁気テープＭＴに記録されているデータ信号を再生する際（以下、「再生時」という）は、テープリール駆動装置４と装置リール駆動装置５とが、テープリール１３と装置リール２とを回転駆動させることによって、磁気テープＭＴを走行させる。図１では、テープリール１３から磁気テープＭＴを引き出す方向を「Ａ方向」、テープリール１３に磁気テープＭＴを巻き取る方向を「Ｂ方向」とする。なお、磁気テープＭＴは、ガイド３ａ，３ｂ等に案内されて走行する。
【００２２】
続いて、図１のＣ方向から見た磁気ヘッドＨａの概略図である図２を参照して、磁気ヘッドＨａについて説明する。磁気ヘッドＨａは、磁気テープＭＴに設けたデータトラックＤＴの交流消去、交流消去されたデータトラックＤＴへのデータ信号の記録、データトラックＤＴに記録されているデータ信号の再生、サーボバンド（図示せず）に記録されているサーボ信号の読み取りを行う。
【００２３】
また、磁気ヘッドＨａは、磁気テープＭＴのテープ幅よりも広い幅を有し、磁気テープＭＴの全幅と接触するように配置されている。そして、この磁気ヘッドＨａは、記録時または再生時には、磁気ヘッド駆動装置１１（図１参照）によって、磁気テープＭＴのテープ幅方向の所定の位置にトレースされる。
【００２４】
この磁気ヘッドＨａは、データトラックＤＴを交流消去する交流消去素子Ｅと、交流消去されたデータトラックＤＴにデータ信号を記録する記録素子Ｗと、データトラックＤＴに記録されたデータ信号を再生する再生素子Ｒとが、磁気テープＭＴの走行方向に並んで形成されたヘッド素子群Ｈａ１，Ｈａ２，Ｈａ３，Ｈａ４，・・・を備えている。なお、図２においては、わかり易くするため、それぞれの素子およびデータトラックＤＴを、磁気テープＭＴに対し、誇張して描いている。また、図２においては、サーボ信号読取素子を省略して描いている。
【００２５】
また、それぞれのヘッド素子群のうち、ヘッド素子群Ｈａ１，Ｈａ３，・・・は、磁気テープＭＴを図１のＡ方向に走行させてデータ信号を記録する際に用いられ、ヘッド素子群Ｈａ２，Ｈａ４，・・・は、磁気テープＭＴを図１のＢ方向に走行させてデータ信号を記録する際に用いられる。ここで、磁気テープＭＴがＡ方向に走行する際は、この走行方向に対し、ヘッド素子群Ｈａ１，Ｈａ３，・・・のそれぞれの記録素子Ｗの上流側に交流消去素子Ｅが設けられており、磁気テープＭＴがＢ方向に走行する際は、この走行方向に対し、ヘッド素子群Ｈａ２，Ｈａ４，・・・のそれぞれの記録素子Ｗの上流側に交流消去素子Ｅが設けられているため、データ信号が記録されるデータトラックＤＴのみを交流消去素子Ｅによって交流消去した後で、記録素子Ｗによってデータ信号を記録することができる。
【００２６】
また、磁気テープＭＴがいずれの方向に走行しても、データ信号の記録に用いられる記録素子Ｗの下流側に、再生素子Ｒが設けられているため、記録素子Ｗによって、データトラックＤＴにデータ信号を記録した直後に、その記録されたデータ信号を、再生素子Ｒによって再生（検査）することにより、データ信号が正常に記録されているか否かの確認を行うことができる。
【００２７】
また、磁気ヘッドＨａの素子構成は、従来の磁気ヘッドＨ２（図７参照）の素子構成に対し、交流消去素子Ｅを交互にその位置を入れ替えて配置させるだけなので、従来の磁気ヘッドＨ２の生産ラインを利用して、磁気ヘッドＨａの生産が可能となる。
【００２８】
交流消去電流発生回路７は、記録時に、データトラックＤＴを交流消去するための交流消去電流を磁気ヘッドＨａのそれぞれの交流消去素子Ｅに供給する回路である。この交流消去電流は、磁気テープＭＴの磁性層の保磁力Ｈｃに対し、充分に消磁が可能な磁界を発生させることができる電流値を有している。また、交流消去電流により発生する交流磁界の周波数は、この交流磁界がデータ信号として記録されないように、前記記録電流により記録されるデータ信号の周波数より高く設定する必要がある。なお、交流消去電流により、データトラックＤＴの交流消去のみを行うこともできる。
【００２９】
記録電流発生回路８は、記録時に、制御装置６から入力された記録電流制御信号に基づいて記録電流を発生させ、この記録電流を磁気ヘッドＨａのそれぞれの記録素子Ｗに供給する回路である。
【００３０】
再生信号処理回路９は、再生時に、磁気ヘッドＨａのそれぞれの再生素子Ｒが読み取ったデータ信号を、制御装置６で取り扱える信号（再生信号）に変換する回路である。再生信号は、制御装置６へ出力される。
【００３１】
サーボ信号処理回路１０は、記録時および再生時に、磁気ヘッドＨａのサーボ信号読取素子（図示せず）が読み取ったサーボ信号を、制御装置６で取り扱える信号（読取信号）に変換する回路である。読取信号は、制御装置６へ出力される。
【００３２】
磁気ヘッド駆動装置１１は、制御装置６から入力された磁気ヘッド制御信号に基づいて、磁気ヘッドＨａを磁気テープＭＴのテープ幅方向に移動させる。これにより、データ信号の記録または再生を行うデータトラックＤＴの位置に対する、それぞれのヘッド素子群の位置を調整している。
【００３３】
制御装置６は、磁気テープドライブ１の各部の動作を制御するための装置である。この制御装置６は、記録時には、図示しないコンピュータから入力されたデータに基づいて記録電流制御信号を生成し、この記録電流制御信号を記録電流発生回路８へ出力している。また、この制御装置６は、再生時には、再生信号処理回路９から入力された再生信号をコンピュータに出力するデータ形式に変換し、その変換したデータをコンピュータへ出力している。
【００３４】
次に、以上のように構成された磁気テープドライブ１に含まれる磁気ヘッドＨａの記録時および再生時の動作について、図１および図２を参照しつつ説明する。
まず、記録時について説明する。記録時には、テープリール駆動装置４と装置リール駆動装置５とで磁気テープＭＴをＡ方向に走行させつつ、ヘッド素子群Ｈａ１，Ｈａ３，・・・によって、対応するデータトラックＤＴにデータ信号を記録する。この際、交流消去電流発生回路７からそれぞれの交流消去素子Ｅに供給される交流消去電流により、データ信号が記録されるデータトラックＤＴを交流消去した後で、記録電流発生回路８からそれぞれの記録素子Ｗに供給される記録電流によりデータ信号を記録する。また、データトラックＤＴにデータ信号を記録した直後に、その記録されたデータ信号を、再生素子Ｒによって再生（検査）することにより、データ信号が正常に記録されているか否かの確認を行う。この際、正常に記録されていない場合は、再度、同じデータトラックＤＴにデータ信号を記録する。
【００３５】
次に、制御装置６から入力された磁気ヘッド制御信号に基づいて、磁気ヘッド駆動装置１１により、磁気ヘッドＨａを磁気テープＭＴのテープ幅方向に移動させる。
そして、テープリール駆動装置４と装置リール駆動装置５とで磁気テープＭＴをＢ方向に走行させつつ、ヘッド素子群Ｈａ２，Ｈａ４，・・・によって、対応するデータトラックＤＴに、前記したようにデータ信号を記録する。複数のデータトラックＤＴ群に分割してデータ信号を記録する場合は、前記した動作を繰り返すことにより行う。
【００３６】
なお、データトラックＤＴの交流消去のみを行った場合は、磁気テープカートリッジ１２に設けたカートリッジメモリチップ（図示せず）にその情報を記録できるようにしてもよい。これにより、同じ磁気テープＭＴにデータ信号を記録する際に、その情報をカートリッジメモリチップリーダー（図示せず）にて読み込むことにより、交流消去を行わずに、データトラックＤＴに直接データ信号を記録することができる。
【００３７】
次に、再生時について説明する。まず、テープリール駆動装置４と装置リール駆動装置５とで磁気テープＭＴをＡ方向に走行させつつ、ヘッド素子群Ｈａ２，Ｈａ４，・・・に設けられた再生素子Ｒによって、対応するデータトラックＤＴのデータ信号を再生する。この際、データ信号は、交流消去されたデータトラックＤＴに記録されているので、再生時のノイズを抑えることができる。
【００３８】
次に、制御装置６から入力された磁気ヘッド制御信号に基づいて、磁気ヘッド駆動装置１１により、磁気ヘッドＨａを磁気テープＭＴのテープ幅方向に移動させる。
そして、テープリール駆動装置４と装置リール駆動装置５とで磁気テープＭＴをＢ方向に走行させつつ、ヘッド素子群Ｈａ１，Ｈａ３，・・・に設けられた再生素子Ｒによって、対応するデータトラックＤＴのデータ信号を再生する。複数のデータトラックＤＴ群に分割して記録されたデータ信号を再生する場合は、前記した動作を繰り返すことにより行う。
【００３９】
（第２の実施形態）
次に、第２の実施形態について説明する。図３に、第２の実施形態に係る磁気ヘッドＨｂの素子構成を示す。なお、図３は、第１の実施形態において説明した図２に対応する図である（磁気テープＭＴは図示せず）。また、磁気ヘッドＨｂは、第１の実施形態で説明した磁気テープドライブ１に適用されるものとし、第１の実施形態と同一構成のものについては、同一の符号を付して、その説明は省略するものとする。
【００４０】
磁気ヘッドＨｂは、図３に示すように、ガイド３ａ（図１参照）側から順に、交流消去素子Ｅ、記録素子Ｗ、再生素子Ｒ、記録素子Ｗ、交流消去素子Ｅが、磁気テープＭＴの走行方向に並んで形成されたヘッド素子群Ｈｂ１，Ｈｂ２，Ｈｂ３，Ｈｂ４，・・・を備えている。
【００４１】
この磁気ヘッドＨｂを用いてデータ信号を記録する場合、磁気テープＭＴがＡ方向に走行する際は、それぞれのヘッド素子群のガイド３ａ側に配置された交流消去素子Ｅにより交流消去した後、ガイド３ａ側に配置された記録素子Ｗによりデータ信号を記録する。そして、磁気テープＭＴがＢ方向に走行する際は、それぞれのヘッド素子群のガイド３ｂ（図１参照）側に配置された交流消去素子Ｅにより交流消去した後、ガイド３ｂ側に配置された記録素子Ｗによりデータ信号を記録する。これにより、磁気テープＭＴがいずれの方向に走行しても、同じヘッド素子群内の交流消去素子Ｅと記録素子Ｗとにより、交流消去した後で、データ信号を記録することができる。そのため、１つのヘッド素子群内に、交流消去素子Ｅと記録素子Ｗとが１つずつしかない場合に比べ、データ信号の記録時間の短縮化が図れる。
【００４２】
また、記録時に、磁気テープＭＴがいずれの方向に走行しても、この走行方向に対し、データ信号の記録に用いられる記録素子Ｗの下流側に、再生素子Ｒが配置されているため、この再生素子Ｒにより、記録されたデータ信号が正常に記録されているか否かの確認を行うことができる。
【００４３】
（第３の実施形態）
次に、第３の実施形態について説明する。図４に、第３の実施形態に係る磁気ヘッドＨｃの素子構成を示す。なお、図４は、第１の実施形態において説明した図２に対応する図である（磁気テープＭＴは図示せず）。また、磁気ヘッドＨｃは、第１の実施形態で説明した磁気テープドライブ１に適用されるものとし、第１の実施形態と同一構成のものについては、同一の符号を付して、その説明は省略するものとする。
【００４４】
磁気ヘッドＨｃは、図４に示すように、ガイド３ａ（図１参照）側から順に、再生素子Ｒ、交流消去素子Ｅ、記録素子Ｗ、交流消去素子Ｅ、再生素子Ｒが、磁気テープＭＴの走行方向に並んで形成されたヘッド素子群Ｈｃ１，Ｈｃ２，Ｈｃ３，Ｈｃ４，・・・を備えている。
【００４５】
この磁気ヘッドＨｃを用いてデータ信号を記録する場合、磁気テープＭＴがＡ方向に走行する際は、それぞれのヘッド素子群のガイド３ａ側に配置された交流消去素子Ｅにより交流消去した後、記録素子Ｗによりデータ信号を記録する。そして、磁気テープＭＴがＢ方向に走行する際は、それぞれのヘッド素子群のガイド３ｂ（図１参照）側に配置された交流消去素子Ｅにより交流消去した後、同じ記録素子Ｗによりデータ信号を記録する。
また、磁気テープＭＴがいずれの方向に走行しても、この走行方向に対し、記録素子Ｗの下流側に、ガイド３ａ側またはガイド３ｂ側の再生素子Ｒが配置されている。これにより、第２の実施形態で説明した効果と同様の効果を発揮することができる。
【００４６】
以上、本発明の実施形態について説明したが、本発明は前記実施形態には限定されない。例えば、第１の実施形態において、磁気ヘッドＨａのそれぞれのヘッド素子群を、図５に示すように、磁気テープＭＴ（図２参照）の幅方向に整列させてもよい。このようにすれば、磁気ヘッドＨａの素子面積が小さくなるため、磁気ヘッドＨａの小型化が可能となる。
【図面の簡単な説明】
【００４７】
【図１】本発明の実施形態に係る磁気ヘッドが適用された磁気テープドライブの概略構成図である。
【図２】第１の実施形態に係る磁気ヘッドＨａを図１のＣ方向から見た概略図である。
【図３】第２の実施形態に係る磁気ヘッドＨｂを図１のＣ方向から見た概略図である。
【図４】第３の実施形態に係る磁気ヘッドＨｃを図１のＣ方向から見た概略図である。
【図５】第１の実施形態に係る磁気ヘッドＨａの変形例を示す概略図である。
【図６】従来のサーボ信号を有する磁気テープを説明する図で、（ａ）は、サーボ信号を記録する際に使用する記録信号を示す図、（ｂ）は、磁気テープの平面図、（ｃ）は、ピーク電圧値が大きい場合におけるサーボ信号の読取信号を示す図、（ｄ）は、ピーク電圧値が小さい場合におけるサーボ信号の読取信号を示す図である。
【図７】直流消去した後にサーボ信号を記録した磁気テープを説明する図で、（ａ）は磁気テープの磁化状態を説明する拡大平面図、（ｂ）はサーボ信号の読取信号を示す図である。
【図８】磁気テープの断面図である。
【符号の説明】
【００４８】
１      磁気テープドライブ
ＤＴ    データトラック
Ｅ      交流消去素子
Ｈａ，Ｈｂ，Ｈｃ  磁気ヘッド
Ｈａ１，Ｈａ２，Ｈａ３，Ｈａ４，・・・  ヘッド素子群
Ｈｂ１，Ｈｂ２，Ｈｂ３，Ｈｂ４，・・・  ヘッド素子群
Ｈｃ１，Ｈｃ２，Ｈｃ３，Ｈｃ４，・・・  ヘッド素子群
ＭＴ    磁気テープ
Ｒ      再生素子
Ｗ      記録素子
【図１】
2005078724.tif 000003
【図２】
2005078724.tif 000004
【図３】
2005078724.tif 000005
【図４】
2005078724.tif 000006
【図５】
2005078724.tif 000007
【図６】
2005078724.tif 000008
【図７】
2005078724.tif 000009
【図８】
2005078724.tif 000010